(57)【要約】【課題】表出した情報を視認困難とせずに、シート上に付与された隠蔽情報を確実に隠蔽する。【解決手段】個別印刷層２３ａによって表現される隠蔽情報が付与されるとともに、感圧糊４１が塗布されることにより剥離可能な貼着面を具備する隠蔽情報記載片２０と、隠蔽情報記載片２０の感圧糊４１が塗布された面とは反対側の面に粘着剤４２によって剥離不可能に貼着された宛先情報記載片１０とを有し、隠蔽情報記載片２０の宛先情報記載片１０との貼着面に、地紋等からなり、宛先情報記載片１０側から宛先情報記載片１０及び隠蔽情報記載片２０を透かして隠蔽情報の判読を不可能とする隠蔽用印刷層３０を形成する。【選択図】図１
2007296836.tif 000002
【特許請求の範囲】
【請求項１】
隠蔽情報が付与されるとともに剥離可能な貼着面を具備する第１のシートと、
前記第１のシートの前記貼着面とは反対側の面に剥離不可能に貼着された第２のシートとを有し、
前記第１のシートの前記貼着面と前記第２のシートとの間に、前記第２のシート側から前記第１及び第２のシートを透かしての前記隠蔽情報の判読を不可能とする隠蔽構造を有する隠蔽シート。
【請求項２】
複数の紙片部が折り部を介して折り畳み可能に連接してなる第１及び第２のシートが互いに剥離不可能に貼着され、
前記第１及び第２のシートの折り畳み状態にて表出しない面に、剥離可能な貼着面を具備するとともに隠蔽情報が付与され、
前記第１のシートと第２のシートとの間に、折り畳み状態にて前記第１及び第２のシートを透かしての前記隠蔽情報の判読を不可能とする隠蔽構造を有する隠蔽シート。
【発明の詳細な説明】
【技術分野】
【０００１】
本発明は、シート上に付与された情報を隠蔽する隠蔽シートに関する。
【背景技術】
【０００２】
近年、情報化社会の進展に伴って、情報を用いた手続きや処理が一般化している。その中で、このように手続きや処理に用いられる情報が不正あるいは偶発的に取得され、悪用されるケースが多発している。
【０００３】
そのため、情報の不用意な流通を避けることが要求されており、例えば、情報を伝達するはがきにおいては、表面に宛先情報が記載されるとともにその裏面に隠蔽情報が記載されたはがき片と、一方の面に地紋が印刷された隠蔽片とが折り畳み可能に連接し、このはがき片と隠蔽片とが剥離可能に貼着される情報隠蔽はがきが考えられている（例えば、特許文献１参照。）。この情報隠蔽はがきにおいては、はがき片の隠蔽情報が記載された面が内側となるように折り畳まれてはがき片と隠蔽片とが剥離可能に貼着されることにより、はがき片に記載された隠蔽情報が隠蔽され、さらに、隠蔽片に印刷された地紋によって隠蔽情報を透かして見ることを困難としている。
【特許文献１】特開平１０−２６４５５９号公報
【発明の開示】
【発明が解決しようとする課題】
【０００４】
しかしながら、上述したようにはがき片と隠蔽片とが折り畳み可能に連接した情報隠蔽はがきにおいては、隠蔽片が剥離可能に貼着された面側からは、隠蔽情報は地紋によって透かして見ることが困難となるものの、はがき片側からは隠蔽情報が透かして見られてしまう虞れがあり、隠蔽情報を確実に隠蔽できるとは言いがたい。そこで、はがき片と隠蔽片とが折り畳まれた場合に地紋に隠蔽情報が挟まれるように地紋を印刷することが考えられるが、その場合、はがき片の宛先情報が記載された面に地紋を印刷することになり、宛先情報が視認困難となって好ましくない。
【０００５】
本発明は、上述したような従来の技術が有する問題点に鑑みてなされたものであって、表出した情報を視認困難とせずに、シート上に付与された隠蔽情報を確実に隠蔽することができる隠蔽シートを提供することを目的とする。
【課題を解決するための手段】
【０００６】
上記目的を達成するために本発明は、
隠蔽情報が付与されるとともに剥離可能な貼着面を具備する第１のシートと、
前記第１のシートの前記貼着面とは反対側の面に剥離不可能に貼着された第２のシートとを有し、
前記第１のシートの前記貼着面と前記第２のシートとの間に、前記第２のシート側から前記第１及び第２のシートを透かしての前記隠蔽情報の判読を不可能とする隠蔽構造を有する。
【０００７】
上記のように構成された本発明においては、第１のシートの剥離可能な貼着面に隠蔽情報が付与された後、第１のシートの隠蔽情報が付与された領域が内側となるように第１及び第２のシートが折り畳まれ、第１のシートが貼着面にて、互いに対向する領域どうしが剥離可能に貼着されると、第１のシートに付与された隠蔽情報が第１のシートと第２のシートとによって隠蔽される。また、第２のシートの少なくとも隠蔽シートの見開き状態にて隠蔽情報と対向する面側からは、第２のシートと隠蔽情報との間に隠蔽構造が介在し、それにより、第２のシートのうち、隠蔽シートの見開き状態にて隠蔽情報と対向する面に宛先情報等を印刷した場合であっても、その宛先情報等の表出した情報を視認困難とすることなく、第１のシートに付与された隠蔽情報が透かして見られてしまうことがなくなる。
【０００８】
また、隠蔽構造を、第１のシートの貼着面と第２のシートとの間の全面に渡って介在させた場合は、上述したように第１及び第２のシートが折り畳まれ、第１のシートが貼着面にて、互いに対向する領域どうしが剥離可能に貼着されると、隠蔽構造によって隠蔽情報が表裏から挟まれた状態となるため、第２のシートのうち、隠蔽シートの見開き状態にて隠蔽情報と対向しない面に印刷等を施さなくても、隠蔽シートの表裏のいずれからも第１のシートに付与された隠蔽情報が透かして見られてしまうことがなくなる。
【０００９】
また、上述したように、前記第１及び第２のシートが、前記第１のシートの隠蔽情報が付与された領域が内側となるように折り畳まれ、前記第１のシートが前記貼着面にて、互いに対向する領域どうしが剥離可能に貼着された形態とすることも考えられる。
【００１０】
また、複数の紙片部が折り部を介して折り畳み可能に連接してなる第１及び第２のシートが互いに剥離不可能に貼着され、
前記第１及び第２のシートの折り畳み状態にて表出しない面に、剥離可能な貼着面を具備するとともに隠蔽情報が付与され、
前記第１のシートと第２のシートとの間に、折り畳み状態にて前記第１及び第２のシートを透かしての前記隠蔽情報の判読を不可能とする隠蔽構造を有する。
【００１１】
上記のように構成された本発明においては、互いに剥離可能に貼着された第１及び第２のシートの剥離可能な貼着面に隠蔽情報が付与された後、隠蔽情報が付与された面が表出しないように第１及び第２のシートが折り畳まれて貼着されると、第１及び第２のシートに付与された隠蔽情報が第１のシートと第２のシートとによって隠蔽される。また、第１のシートと第２のシートとの間には隠蔽構造が介在しており、それにより、折り畳み状態にて第１及び第２のシートを透かして隠蔽情報が見られてしまうことがなくなる。
【発明の効果】
【００１２】
以上説明したように本発明においては、隠蔽情報が付与されるとともに剥離可能な貼着面を具備する第１のシートの貼着面と、第１のシートのその貼着面とは反対側の面に剥離不可能に貼着された第２のシートとの間に、第２のシート側から第１及び第２のシートを透かしての隠蔽情報の判読を不可能とする隠蔽構造を有する構成としたため、第２のシートのうち、隠蔽シートの見開き状態にて隠蔽情報と対向する面に宛先情報等を印刷した場合であっても、その宛先情報等の表出した情報を視認困難とすることなく、第１のシートに付与された隠蔽情報が透かして見られてしまうことがなくなり、シート上に付与された隠蔽情報を確実に隠蔽することができる。  また、複数の紙片部が折り部を介して折り畳み可能に連接してなる第１及び第２のシートが互いに剥離不可能に貼着され、第１及び第２のシートの折り畳み状態にて表出しない面に、剥離可能な貼着面を具備するとともに隠蔽情報が付与され、第１のシートと第２のシートとの間に、折り畳み状態にて第１及び第２のシートを透かしての隠蔽情報の判読を不可能とする隠蔽構造を有するものにおいても、折り畳み状態にて表出する面に宛先情報等を印刷した場合であっても、その宛先情報等の表出した情報を視認困難とすることなく、隠蔽情報が透かして見られてしまうことがなくなり、シート上に付与された隠蔽情報を確実に隠蔽することができる。
【発明を実施するための最良の形態】
【００１３】
以下に、本発明の実施の形態について図面を参照して説明する。
【００１４】
（第１の実施の形態）
図１は、本発明の隠蔽シートの第１の実施の形態を示す図であり、（ａ）は積層構造を示す図、（ｂ）は（ａ）に示したＡ−Ａ’断面図である。図２は、図１に示した宛先情報記載片１０の構成を示す図であり、（ａ）は表面の構成を示す図、（ｂ）は裏面の構成を示す図である。図３は、図１に示した隠蔽情報記載片２０の構成を示す図であり、（ａ）は宛先情報記載片１０との貼着面の構成を示す図、（ｂ）はその裏面の構成を示す図である。
【００１５】
本形態は図１に示すように、第１のシートである隠蔽情報記載片２０と、第２のシートである宛先情報記載片１０とが粘着剤４２によって剥離不可能に貼着されて構成されている。
【００１６】
宛先情報記載片１０は図１及び図２に示すように、第１紙片部１１ａと第２紙片部１１ｂとが折り部１２を介して折り畳み可能に連接して構成されており、隠蔽情報記載片２０との貼着面には、その全面に、貼着後の剥離を不可能とするような強い粘着力を有する粘着剤４２が塗布されている。第１紙片部１１ａには、この隠蔽シートの送付先を示す宛先情報１３が印字されている。この宛先情報１３は、隠蔽シートの送付先毎に異なるものであるため、宛先情報記載片１０上に個別印刷層１３ａが形成されることによって表現されている。また、第２紙片部１１ｂには、この隠蔽シートの送付先に隠蔽することなく共通に通知する通知情報１４が印字されている。この通知情報１４は、隠蔽シートの送付先に共通なものとなるため、宛先情報記載片１０上にプレ印刷層１４ａが形成されることによって表現されている。
【００１７】
隠蔽情報記載片２０は図１及び図３に示すように、第１紙片部２１ａと第２紙片部２１ｂとが折り部２２を介して折り畳み可能に連接して構成されており、宛先情報記載片１０との貼着面には、外周を除く全面に隠蔽構造となる隠蔽用印刷層３０が形成されている。この隠蔽用印刷層３０は、濃色のインクを用いたベタ印刷や地紋を印刷することによって形成することが考えられる。宛先情報記載片１０との貼着面とは反対側の面には、その全面に感圧糊４１が塗布され、折り部２２を介して折り畳んで加圧することにより互いに剥離可能に貼着される剥離可能な貼着面が形成されている。また、第１紙片部２１ａの感圧糊４１が塗布された面には、この隠蔽シートの送付先に隠蔽状態にて通知する隠蔽情報となる明細情報２３が印字されることにより付与されている。この明細情報２３は、隠蔽シートの送付先毎に異なるものであるため、隠蔽情報記載片２０上に個別印刷層２３ａが形成されることによって表現されている。また、明細情報２３の表題や記載枠等が共通印刷情報２４として印字されている。この共通印刷情報２４は、隠蔽シートの送付先に共通なものとなるため、隠蔽情報記載片２０上にプレ印刷層２４ａが形成されることによって表現されている。
【００１８】
このように構成された宛先情報記載片１０と隠蔽情報記載片２０とが図１に示すように重ね合わされて粘着剤４２によって貼着されると、宛先情報記載片１０側から透かされた場合であっても、隠蔽情報記載片２０の第１紙片部２１ａに印字された明細情報２３が、隠蔽情報記載片２０の宛先情報記載片１０との貼着面に形成された隠蔽用印刷層３０によって、宛先情報記載片１０及び隠蔽情報記載片２０を透かして判読することが不可能となる。
【００１９】
以下に、上記のように構成された隠蔽シートの製造方法について説明する。
【００２０】
図４は、図１〜図３に示した隠蔽シートの製造方法を説明するための図である。
【００２１】
まず、宛先情報記載片１０の一方の面に、隠蔽シートの送付先に隠蔽することなく共通に通知する通知情報１４をプレ印刷層１４ａを形成することによって印字する（図４（ａ））。
【００２２】
また、隠蔽情報記載片２０の一方の面の全面に感圧糊４１を塗布することにより隠蔽情報記載片２０に剥離可能な貼着面を形成し（図４（ｂ））、その後、隠蔽情報記載片２０の感圧糊４１が塗布された面に共通印刷情報２４をプレ印刷層２４ａを形成することによって印字するとともに、隠蔽情報記載片２０の感圧糊４１が塗布された面とは反対側の面の外周を除く全面にベタ印刷や地紋を印刷することにより隠蔽用印刷層３０を形成する（図４（ｃ））。
【００２３】
また、宛先情報記載片１０の通知情報１４が印刷された面とは反対側の面の全面に粘着剤４２を塗布する（図４（ｄ））。
【００２４】
次に、上述した宛先情報記載片１０と隠蔽情報記載片２０とを、宛先情報記載片１０の粘着剤４２が塗布された面と隠蔽情報記載片２０の隠蔽用印刷層３０が形成された面とが対向するように重ね合わせ、粘着剤４２によって宛先情報記載片１０と隠蔽情報記載片２０とを剥離不可能に貼着する（図４（ｅ））。
【００２５】
次に、宛先情報記載片１０の隠蔽情報記載片２０との貼着面とは反対側の面、すなわちプレ印刷層１４ａが形成されることによって通知情報１４が印字されている面に個別印刷層１３ａを形成することによって宛先情報１３を印字するとともに、隠蔽情報記載片２０の宛先情報記載片１０との貼着面とは反対側の面、すなわちプレ印刷層２４ａが形成されることによって共通印刷情報２４が印字されている面に個別印刷層２３ａを形成することによって明細情報２３を印字する（図４（ｆ））。このように、隠蔽シートの送付先毎に異なる宛先情報１３と明細情報２３とを同一工程にて印字することにより、宛先情報１３と明細情報２３とのマッチングミスが生じることを回避することができる。
【００２６】
その後、上述したように宛先情報記載片１０と隠蔽情報記載片２０とが粘着剤４２によって剥離不可能に貼着された隠蔽シートを、隠蔽情報記載片２０が内側となるように折り部１２，２２を介して折り畳み、加圧することにより、隠蔽情報記載片２０の第１紙片部２１ａと第２紙片部２１ｂとを剥離可能に貼着する（図４（ｇ））。
【００２７】
以下に、上述した隠蔽シートの使用方法について説明する。
【００２８】
図５は、図１〜図３に示した隠蔽シートの送付時の状態を示す図であり、（ａ）は宛先情報記載片１０の第１紙片部１１ａ側から見た図、（ｂ）は宛先情報記載片１０の第２紙片部１１ｂ側から見た図、（ｃ）は（ａ）に示したＡ−Ａ’断面図である。
【００２９】
上述した隠蔽シートは、送付先への送付時においては、隠蔽情報記載片２０が内側となるように折り部１２，２２を介して折り畳まれ、隠蔽情報記載片２０の第１紙片部２１ａと第２紙片部２１ｂとが剥離可能に貼着された状態となっている。
【００３０】
そのため、図５（ａ）に示すように、隠蔽シートの一方の面側においては、宛先情報記載片１０の第１紙片部１１ａのみが表出し、それにより、宛先情報記載片１０の第１紙片部１１ａに印字された宛先情報１３が外部から視認可能となっており、この宛先情報１３に従って隠蔽シートが送付先に送付されることになる。この際、宛先情報１３が印字された第１紙片部１１ａには、明細情報２３が宛先情報記載片１０及び隠蔽情報記載片２０を透かして判読されてしまうことを不可能とするための地紋等が印刷されていないため、宛先情報１３が視認困難となってしまうことがない。また、図５（ｂ）に示すように、他方の面側においては、宛先情報記載片１０の第２紙片部１１ｂのみが表出し、それにより、宛先情報記載片１０の第２紙片部１１ｂに印字された通知情報１４が外部から視認可能となっている。
【００３１】
また、図５（ｃ）に示すように、隠蔽情報記載片２０に形成された個別印刷層２３ａによって表現される明細情報２３は、隠蔽情報記載片２０に形成された隠蔽用印刷層３０によって表裏から挟まれた状態となっている。そのため、隠蔽シートの表裏のいずれから透かした場合であっても、明細情報２３が宛先情報記載片１０及び隠蔽情報記載片２０を透かして見られてしまうことがない。
【００３２】
図６は、図１〜図３に示した隠蔽シートが見開かれた場合の見開き面を示す図である。
【００３３】
上述した隠蔽シートが送付先に届けられると、隠蔽情報記載片２０の第１紙片部２１ａと第２紙片部２１ｂとが剥離される。隠蔽情報記載片２０の第１紙片部２１ａと第２紙片部２１ｂとを貼着している感圧糊４１は、貼着後の剥離が可能なものであるため、互いに貼着された第１紙片部２１ａと第２紙片部２１ｂとを剥離することができる。
【００３４】
すると、図６に示すように、隠蔽情報記載片２０の第１紙片部２１ａの第２紙片部２１ｂとの貼着面に印字された明細情報２３が視認可能となり、隠蔽シートの送付先において、明細情報２３が確認されることになる。
【００３５】
なお、本形態においては、隠蔽情報記載片２０の宛先情報記載片１０との貼着面のうち、外周を除く全面に隠蔽用印刷層３０が形成されているが、隠蔽情報記載片２０の第１紙片部２１ａのみ、さらには第１紙片部２１ａの明細情報２３に対向する領域のみに形成されていれば、宛先情報記載片１０の宛先情報１３が印字された第１紙片部１１ａ側から透かした場合に、明細情報２３が宛先情報記載片１０及び隠蔽情報記載片２０を透かして見られてしまうことを回避することができる。ただし、本形態のように、隠蔽情報記載片２０の宛先情報記載片１０との貼着面のうち、外周を除く全面に隠蔽用印刷層３０が形成されていれば、隠蔽シートの表裏のいずれから透かした場合であっても、明細情報２３が宛先情報記載片１０及び隠蔽情報記載片２０を透かして見られてしまうことがない。
【００３６】
また、本形態においては、隠蔽用印刷層３０が隠蔽情報記載片２０に形成されているが、宛先情報記載片１０の隠蔽情報記載片２０との貼着面に形成された構成とすることも考えられる。
【００３７】
（第２の実施の形態）
図７は、本発明の隠蔽シートの第２の実施の形態を示す図であり、（ａ）は積層構造を示す図、（ｂ）は（ａ）に示したＡ−Ａ’断面図である。図８は、図７に示した宛先情報記載片１１０の構成を示す図であり、（ａ）は表面の構成を示す図、（ｂ）は裏面の構成を示す図である。図９は、図７に示した隠蔽情報記載片１２０の構成を示す図であり、（ａ）は宛先情報記載片１１０との貼着面の構成を示す図、（ｂ）はその裏面の構成を示す図である。
【００３８】
本形態は図７に示すように、第１のシートである隠蔽情報記載片１２０と、第２のシートである宛先情報記載片１１０とが粘着剤１４２によって剥離不可能に貼着されて構成されている。
【００３９】
宛先情報記載片１１０は図７及び図８に示すように、第１紙片部１１１ａと第２紙片部１１１ｂとが折り部１１２を介して折り畳み可能に連接して構成されており、隠蔽情報記載片１２０との貼着面には、その全面に貼着後の剥離を不可能とするような強い粘着力を有する粘着剤１４２が塗布されている。第１紙片部１１１ａには、この隠蔽シートの送付先を示す宛先情報１１３が印字されている。この宛先情報１１３は、隠蔽シートの送付先毎に異なるものであるため、宛先情報記載片１１０上に個別印刷層１１３ａが形成されることによって表現されている。また、第２紙片部１１１ｂには、この隠蔽シートの送付先に隠蔽することなく共通に通知する通知情報１１４が印字されている。この通知情報１１４は、隠蔽シートの送付先に共通なものとなるため、宛先情報記載片１１０上にプレ印刷層１１４ａが形成されることによって表現されている。
【００４０】
隠蔽情報記載片１２０は図７及び図９に示すように、第１紙片部１２１ａと第２紙片部１２１ｂとが折り部１２２を介して折り畳み可能に連接して構成されている。また、濃色の材料から構成されることにより、隠蔽情報記載片１２０自体が隠蔽構造となっている。宛先情報記載片１１０との貼着面とは反対側の面には、その全面に感圧糊１４１が塗布され、折り部１２２を介して折り畳んで加圧することにより互いに剥離可能に貼着される剥離可能な貼着面が形成されている。また、第１紙片部１２１ａの感圧糊１４１が塗布された面には、この隠蔽シートの送付先に隠蔽状態にて通知する隠蔽情報となる明細情報１２３が印字されることにより付与されている。この明細情報１２３は、隠蔽シートの送付先毎に異なるものであるため、隠蔽情報記載片１２０上に個別印刷層１２３ａが形成されることによって表現されている。また、明細情報１２３の表題や記載枠等が共通印刷情報１２４として印字されている。この共通印刷情報１２４は、隠蔽シートの送付先に共通なものとなるため、隠蔽情報記載片１２０上にプレ印刷層１２４ａが形成されることによって表現されている。なお、隠蔽情報記載片１２０に印字される明細情報１２３及び共通印刷情報１２４は、隠蔽情報記載片１２０が濃色の材料からなるため、白色等の淡い色のインクを用いて印刷することが考えられる。
【００４１】
このように構成された宛先情報記載片１１０と隠蔽情報記載片１２０とが図７に示すように重ね合わされて粘着剤１４２によって貼着されると、宛先情報記載片１１０側から透かされた場合であっても、隠蔽情報記載片１２０の第１紙片部１２１ａに印字された明細情報２３が、隠蔽情報記載片１２０自体によって、宛先情報記載片１１０及び隠蔽情報記載片１２０を透かして判読することが不可能となる。
【００４２】
上記のように構成された隠蔽シートにおいては、図１に示したものと同様にして使用されることになり、送付先への送付時においては、隠蔽情報記載片１２０が内側となるように折り部１１２，１２２を介して折り畳まれ、隠蔽情報記載片１２０に印字された明細情報１２３が、隠蔽情報記載片１２０によって表裏から挟まれた状態となる。本形態においては、隠蔽情報記載片１２０が濃色の材料からなる隠蔽構造であることから、隠蔽情報記載片１２０に印字された明細情報１２３が隠蔽情報記載片１２０によって表裏から挟まれた状態となると、隠蔽シートの表裏のいずれから透かした場合であっても、明細情報１２３が宛先情報記載片１１０及び隠蔽情報記載片１２０を透かして見られてしまうことがない。
【００４３】
また、本形態においては、隠蔽情報記載片１２０を濃色の材料から構成し、隠蔽情報記載片１２０自体を、隠蔽情報記載片１２０に印字された明細情報１２３を宛先情報記載片１１０側から宛先情報記載片１１０及び隠蔽情報記載片１２０を透かして判読不可能とするための隠蔽構造としているため、図１に示したもののように、隠蔽用印刷層等の隠蔽構造を隠蔽情報記載片１２０上に形成する必要がなくなる。
【００４４】
なお、上述した２つの実施の形態においては、隠蔽情報記載片２０，１２０の第１紙片部２１ａ，１２１ａのみに隠蔽情報となる明細情報２３，１２３が印字されているが、隠蔽情報記載片２０，１２０の第２紙片部２１ｂ，１２１ｂの感圧糊４１，１４１が塗布された面にも隠蔽情報を印字してもよい。
【００４５】
また、図１に示したものにおいては、隠蔽情報記載片２０の宛先情報記載片１０との貼着面に隠蔽構造となる隠蔽用印刷層３０が形成され、また、図７に示したものにおいては、隠蔽情報記載片１２０自体が隠蔽構造となっているが、この隠蔽構造は、隠蔽情報記載片２０，１２０の感圧糊４１，１４１が塗布されることにより形成された剥離可能な貼着面と宛先情報記載片１０，１１０との間に設けられていればよい。
【００４６】
また、上述した２つの実施の形態においては、宛先情報記載片１０，１１０及び隠蔽情報記載片２０，１２０が折り部を介して２つ折りに折り畳み可能なものを例に挙げて説明したが、Ｚ折りやＣ折り、あるいはＷ折り等といった３つ折り以上の構成とすることも考えられる。以下に、その実施の形態について説明する。
【００４７】
（第３の実施の形態）
図１０は、本発明の隠蔽シートの第３の実施の形態を示す図であり、（ａ）は積層構造を示す図、（ｂ）は（ａ）に示したＡ−Ａ’断面図である。図１１は、図１０に示した宛先情報記載片２１０の構成を示す図であり、（ａ）は表面の構成を示す図、（ｂ）は裏面の構成を示す図である。図１２は、図１０に示した情報通知片２２０の構成を示す図であり、（ａ）は宛先情報記載片２１０との貼着面の構成を示す図、（ｂ）はその裏面の構成を示す図である。
【００４８】
本形態は図１０に示すように、第１のシートである情報通知片２２０と、第２のシートである宛先情報記載片２１０とが粘着剤２４２によって剥離不可能に貼着されて構成されている。
【００４９】
宛先情報記載片２１０は図１０及び図１１に示すように、第１紙片部２１１ａと第２紙片部２１１ｂと第３紙片部２１１ｃとが折り部２１２ａ，２１２ｂをそれぞれ介して折り畳み可能に連接して構成されており、情報通知片２２０との貼着面には、その全面に、貼着後の剥離を不可能とするような強い粘着力を有する粘着剤２４２が塗布されている。第１紙片部２１１ａのそれとは反対側の面には、この隠蔽シートの送付先を示す宛先情報２１３が印字されている。この宛先情報２１３は、隠蔽シートの送付先毎に異なるものであるため、宛先情報記載片２１０上に個別印刷層２１３ａが形成されることによって表現されている。また、第２紙片部２１１ｂには、この隠蔽シートの送付先に隠蔽することなく共通に通知する通知情報２１４が印字されている。この通知情報２１４は、隠蔽シートの送付先に共通なものとなるため、宛先情報記載片２１０上にプレ印刷層２１４ａが形成されることによって表現されている。また、第３紙片部２１１ｃには、感圧糊２４１ａが塗布されているとともに、この隠蔽シートの送付先に隠蔽状態にて通知する隠蔽情報となる明細情報２１６が印字されることにより付与されている。この明細情報２１６は、隠蔽シートの送付先毎に異なるものであるため、宛先情報記載片２１０上に個別印刷層２１６ａが形成されることによって表現されている。また、明細情報２１６の表題や記載枠等が共通印刷情報２１５として印字されている。この共通印刷情報２１５は、隠蔽シートの送付先に共通なものとなるため、宛先情報記載片２１０上にプレ印刷層２１５ａが形成されることによって表現されている。
【００５０】
情報通知片２２０は図１０及び図１２に示すように、第１紙片部２２１ａと第２紙片部２２１ｂと第３紙片部２２１ｃとが折り部２２２ａ，２２２ｂをそれぞれ介して折り畳み可能に連接して構成されており、宛先情報記載片２１０との貼着面には、外周を除く全面に隠蔽構造となる隠蔽用印刷層２３０が形成されている。この隠蔽用印刷層２３０は、濃色のインクを用いたベタ印刷や地紋を印刷することによって形成することが考えられる。宛先情報記載片２１０との貼着面とは反対側の面には、その全面に感圧糊２４１ｂが塗布され、第２紙片部２２１ｂと第３紙片部２２１ｃとが対向し、また、第１紙片部２２１ａが宛先情報記載片２１０の第３紙片部２１１ｃと対向するように折り部２２２ａ，２２２ｂを介して折り畳んで加圧することにより互いに剥離可能に貼着される剥離可能な貼着面が形成されている。また、この感圧糊２４１ｂが塗布された面には、この隠蔽シートの送付先に隠蔽状態にて通知する隠蔽情報となる明細情報２２３が印字されることにより付与されている。この明細情報２２３は、隠蔽シートの送付先毎に異なるものであるため、情報通知片２２０上に個別印刷層２２３ａが形成されることによって表現されている。また、明細情報２２３の表題や記載枠等が共通印刷情報２２４として印字されている。この共通印刷情報２２４は、隠蔽シートの送付先に共通なものとなるため、情報通知片２２０上にプレ印刷層２２４ａが形成されることによって表現されている。
【００５１】
以下に、上記のように構成された隠蔽シートの使用方法について説明する。
【００５２】
図１３は、図１０〜図１２に示した隠蔽シートの送付時の状態を示す図であり、（ａ）は宛先情報記載片２１０の第１紙片部２１１ａ側から見た図、（ｂ）は宛先情報記載片２１０の第２紙片部２１１ｂ側から見た図、（ｃ）は（ａ）に示したＡ−Ａ’断面図である。
【００５３】
上述した隠蔽シートは、送付先へ送付される場合、まず、互いに貼着された宛先情報記載片２１０と情報通知片２２０とが、情報通知片２２０の第２紙片部２２１ｂと第３紙片部２２１ｃとが対向するように折り部２１２ｂ，２２２ｂを介して折り畳まれ、情報通知片２２０に塗布された感圧糊２４１ｂによって情報通知片２２０の第２紙片部２２１ｂと第３紙片部２２１ｃとが貼着される。
【００５４】
次に、宛先情報記載片２１０と情報通知片２２０が、宛先情報記載片２１０の第３紙片部２１１ｃと情報通知片２２０の第１紙片部２２１ａとが対向するように折り部２１２ａ，２２２ａを介して折り畳まれ、宛先情報通知片２１０に塗布された感圧糊２４１ａと情報通知片２２０に塗布された感圧糊２４１ｂとによって宛先情報記載片２１０の第３紙片部２１１ｃと情報通知片２２０の第１紙片部２２１ａとが貼着される。
【００５５】
それにより、図１３（ａ）に示すように、隠蔽シートの一方の面側においては、宛先情報記載片２１０の第１紙片部２１１ａのみが表出し、それにより、宛先情報記載片２１０の第１紙片部２１１ａに印字された宛先情報２１３が外部から視認可能となり、この宛先情報２１３に従って隠蔽シートが送付先に送付されることになる。この際、宛先情報２１３が印字された第１紙片部２１１ａには、宛先情報記載片２１０に印字された明細情報２１６や情報通知片２２０に印字された明細情報２２３が宛先情報記載片２１０及び情報通知片２２０を透かして判読されてしまうことを不可能とするための地紋等が印刷されていないため、宛先情報２１３が視認困難となってしまうことがない。また、図１３（ｂ）に示すように、他方の面側においては、宛先情報記載片２１０の第２紙片部２１１ｂのみが表出し、それにより、宛先情報記載片２１０の第２紙片部２１１ｂに印字された通知情報２１４が外部から視認可能となる。
【００５６】
また、図１３（ｃ）に示すように、宛先情報記載片２１０に形成された個別印刷層２１６ａによって表現される明細情報２１６や情報通知片２２０に形成された個別印刷層２２３ａによって表現される明細情報２２３は、情報通知片２２０に形成された隠蔽用印刷層２３０によって表裏から挟まれた状態となっている。そのため、隠蔽シートの表裏のいずれから透かした場合であっても、明細情報２１６，２２３が宛先情報記載片２１０及び情報通知片２２０を透かして見られてしまうことがない。
【００５７】
図１４は、図１０〜図１２に示した隠蔽シートが見開かれた場合の見開き面を示す図であり、（ａ）は宛先情報記載片２１０を示す図、（ｂ）は情報通知片２２０を示す図である。
【００５８】
上述した隠蔽シートが送付先に届けられると、まず、宛先情報記載片２１０の第３紙片部２１１ｃと情報通知片２２０の第１紙片部２２１ａとが剥離される。宛先情報記載片２１０の第３紙片部２１１ｃと情報通知片２２０の第１紙片部２２１ａとを貼着している感圧糊２４１ａ，２４１ｂは、貼着後の剥離が可能なものであるため、互いに貼着された宛先情報記載片２１０の第３紙片部２１１ｃと情報通知片２２０の第１紙片部２２１ａとを剥離することができる。
【００５９】
次に、情報通知片２２０の第２紙片部２２１ｂと第３紙片部２２１ｃとが剥離される。情報通知片２２０の第２紙片部２２１ｂと第３紙片部２２１ｃとを貼着している感圧糊２４１ｂは、貼着後の剥離が可能なものであるため、互いに貼着された情報通知片２２０の第２紙片部２２１ｂと第３紙片部２２１ｃとを剥離することができる。
【００６０】
すると、図１４（ｂ）に示すように、情報通知片２２０の宛先情報記載片２１０との貼着面とは反対側の面に印字された明細情報２２３が視認可能となり、隠蔽シートの送付先において、明細情報２２３が確認されることになる。また、その際、図１４（ａ）に示すように、宛先情報記載片２１０の情報通知片２２０との貼着面とは反対側の面においても、第３紙片部２１１ｃに印字された明細情報２１６が視認可能となり、隠蔽シートの送付先において、明細情報２１６が確認されることになる。
【００６１】
（第４の実施の形態）
図１５は、本発明の隠蔽シートの第４の実施の形態を示す図であり、（ａ）は積層構造を示す図、（ｂ）は（ａ）に示したＡ−Ａ’断面図である。図１６は、図１５に示した宛先情報記載片３１０の構成を示す図であり、（ａ）は表面の構成を示す図、（ｂ）は裏面の構成を示す図である。図１７は、図１５に示した情報通知片３２０の構成を示す図であり、（ａ）は宛先情報記載片３１０との貼着面の構成を示す図、（ｂ）はその裏面の構成を示す図である。
【００６２】
本形態は図１５に示すように、第１のシートである情報通知片３２０と、第２のシートである宛先情報記載片３１０とが粘着剤３４２によって剥離不可能に貼着されて構成されている。
【００６３】
宛先情報記載片３１０は図１５及び図１６に示すように、第１紙片部３１１ａと第２紙片部３１１ｂと第３紙片部３１１ｃとが折り部３１２ａ，３１２ｂをそれぞれ介して折り畳み可能に連接して構成されており、情報通知片３２０との貼着面には、その全面に、貼着後の剥離を不可能とするような強い粘着力を有する粘着剤３４２が塗布されている。第１紙片部３１１ａのそれとは反対側の面には、この隠蔽シートの送付先を示す宛先情報３１３が印字されている。この宛先情報３１３は、隠蔽シートの送付先毎に異なるものであるため、宛先情報記載片３１０上に個別印刷層３１３ａが形成されることによって表現されている。また、第２紙片部２１１ｂ及び第３紙片部２１１ｃには、その全面に感圧糊３４１ａが塗布され、折り部３１２ｂを介して第２紙片部３１１ｂと第３紙片部３１１ｃとが対向するように折り畳んで加圧することにより互いに剥離可能に貼着される剥離可能な貼着面が形成されている。また、この感圧糊３４１ａが塗布された面には、この隠蔽シートの送付先に隠蔽状態にて通知する隠蔽情報となる明細情報３１６が印字されることにより付与されている。この明細情報３１６は、隠蔽シートの送付先毎に異なるものであるため、宛先情報記載片３１０上に個別印刷層３１６ａが形成されることによって表現されている。また、明細情報３１６の表題や記載枠等が共通印刷情報３１５として印字されている。この共通印刷情報３１５は、隠蔽シートの送付先に共通なものとなるため、宛先情報記載片３１０上にプレ印刷層３１５ａが形成されることによって表現されている。
【００６４】
情報通知片３２０は図１５及び図１７に示すように、第１紙片部３２１ａと第２紙片部３２１ｂと第３紙片部３２１ｃとが折り部３２２ａ，３２２ｂをそれぞれ介して折り畳み可能に連接して構成されており、宛先情報記載片３１０との貼着面には、外周を除く全面に隠蔽構造となる隠蔽用印刷層３３０が形成されている。この隠蔽用印刷層３３０は、濃色のインクを用いたベタ印刷や地紋を印刷することによって形成することが考えられる。宛先情報記載片３１０との貼着面とは反対側の面には、第１紙片部３２１ａと第２紙片部３２１ｂの全面に感圧糊３４１ｂが塗布され、折り部３２２ａを介して第１紙片部３２１ａと第２紙片部３２１ｂとが対向するように折り畳んで加圧することにより互いに剥離可能に貼着される剥離可能な貼着面が形成されている。また、この感圧糊３４１ｂが塗布された面には、この隠蔽シートの送付先に隠蔽状態にて通知する隠蔽情報となる明細情報３２３が印字されることにより付与されている。この明細情報３２３は、隠蔽シートの送付先毎に異なるものであるため、情報通知片３２０上に個別印刷層３２３ａが形成されることによって表現されている。また、明細情報３２３の表題や記載枠等が共通印刷情報３２４として印字されている。この共通印刷情報３２４は、隠蔽シートの送付先に共通なものとなるため、情報通知片３２０上にプレ印刷層３２４ａが形成されることによって表現されている。また、第３紙片部３２１ｃには、この隠蔽シートの送付先に隠蔽することなく共通に通知する通知情報３２５が印字されている。この通知情報３２５は、隠蔽シートの送付先に共通なものとなるため、情報通知片３２０上にプレ印刷層３２５ａが形成されることによって表現されている。
【００６５】
以下に、上記のように構成された隠蔽シートの使用方法について説明する。
【００６６】
図１８は、図１５〜図１７に示した隠蔽シートの送付時の状態を示す図であり、（ａ）は宛先情報記載片３１０の第１紙片部３１１ａ側から見た図、（ｂ）は情報通知片３２０の第３紙片部３２１ｃ側から見た図、（ｃ）は（ａ）に示したＡ−Ａ’断面図である。
【００６７】
上述した隠蔽シートは、送付先へ送付される場合は、互いに貼着された宛先情報記載片３１０と情報通知片３２０とが、宛先情報記載片３１０の第２紙片部３１１ｂと第３紙片部３１１ｃとが対向するように折り部３１２ｂ，３２２ｂを介して折り畳まれ、宛先情報記載片３１０に塗布された感圧糊３４１ａによって宛先情報記載片３１０の第２紙片部３１１ｂと第３紙片部３１１ｃとが貼着される。
【００６８】
また、宛先情報記載片３１０と情報通知片３２０が、情報通知片３２０の第１紙片部３２１ａと第２紙片部３２１ｂとが対向するように折り部３１２ａ，３２２ａを介して折り畳まれ、情報通知片３２０に塗布された感圧糊３４１ｂによって情報通知片３２０の第１紙片部３２１ａと第２紙片部３２１ｂとが貼着される。
【００６９】
それにより、図１８（ａ）に示すように、隠蔽シートの一方の面側においては、宛先情報記載片３１０の第１紙片部３１１ａのみが表出し、それにより、宛先情報記載片３１０の第１紙片部３１１ａに印字された宛先情報３１３が外部から視認可能となり、この宛先情報３１３に従って隠蔽シートが送付先に送付されることになる。この際、宛先情報３１３が印字された第１紙片部３１１ａには、宛先情報記載片３１０に印字された明細情報３１６や情報通知片３２０に印字された明細情報３２３が宛先情報記載片３１０及び情報通知片３２０を透かして判読されてしまうことを不可能とするための地紋等が印刷されていないため、宛先情報３１３が視認困難となってしまうことがない。また、図１８（ｂ）に示すように、他方の面側においては、情報通知片３２０の第３紙片部３２１ｃのみが表出し、それにより、情報通知片３２０の第３紙片部３２１ｃに印字された通知情報３２５が外部から視認可能となる。
【００７０】
また、図１８（ｃ）に示すように、宛先情報記載片３１０に形成された個別印刷層３１６ａによって表現される明細情報３１６や情報通知片３２０に形成された個別印刷層３２３ａによって表現される明細情報３２３は、情報通知片３２０に形成された隠蔽用印刷層３３０によって表裏から挟まれた状態となっている。そのため、隠蔽シートの表裏のいずれから透かした場合であっても、明細情報３１６，３２３が宛先情報記載片３１０及び情報通知片３２０を透かして見られてしまうことがない。
【００７１】
図１９は、図１５〜図１７に示した隠蔽シートが見開かれた場合の見開き面を示す図であり、（ａ）は宛先情報記載片３１０を示す図、（ｂ）は情報通知片３２０を示す図である。
【００７２】
上述した隠蔽シートが送付先に届けられると、宛先情報記載片３１０の第２紙片部３１１ｂと第３紙片部３１１ｃとが剥離される。宛先情報記載片３１０の第２紙片部３１１ｂと第３紙片部３１１ｃとを貼着している感圧糊３４１ａは、貼着後の剥離が可能なものであるため、互いに貼着された宛先情報記載片３１０の第２紙片部３１１ｂと第３紙片部３１１ｃとを剥離することができる。
【００７３】
また、情報通知片３２０の第１紙片部３２１ａと第２紙片部３２１ｂとが剥離される。情報通知片３２０の第１紙片部３２１ａと第２紙片部３２１ｂとを貼着している感圧糊３４１ｂは、貼着後の剥離が可能なものであるため、互いに貼着された情報通知片３２０の第１紙片部３２１ａと第２紙片部３２１ｂとを剥離することができる。
【００７４】
すると、図１９（ａ）に示すように、宛先情報記載片３１０においては、第２紙片部３１１ｂと第３紙片部３１１ｃとに印字された明細情報３１６が視認可能となり、また、図１９（ｂ）に示すように、情報通知片３２０においては、第１紙片部３２１ａと第２紙片部３２１ｂとに印字された明細情報３２３が視認可能となり、それにより、隠蔽シートの送付先において、明細情報３１６，３２３が確認されることになる。
【００７５】
なお、上述した第３及び第４の実施の形態においては、隠蔽用印刷層２３０，３３０が情報通知片２２０，３２０にそれぞれ形成されているが、第１の実施の形態と同様に、宛先情報記載片２１０，３１０の情報通知片２２０，３２０との貼着面に形成された構成とすることも考えられる。  また、上述した４つの実施の形態においては、宛先情報記載片１０，１１０，２１０，３１０と隠蔽情報記載片２０，１２０あるいは情報通知片２１０，３１０とを剥離不可能に貼着する粘着剤４２，１４２，２４２，３４２が宛先情報記載片１０，１１０，２１０，３１０に塗布されているが、隠蔽情報記載片２０，１２０あるいは情報通知片２１０，３１０の宛先情報記載片１０，１１０，２１０，３１０との貼着面に塗布してもよい。
【００７６】
また、隠蔽情報記載片２０，１２０あるいは情報通知片２１０，３１０の材料は、紙、樹脂等適宜選択することができる。
【図面の簡単な説明】
【００７７】
【図１】本発明の隠蔽シートの第１の実施の形態を示す図であり、（ａ）は積層構造を示す図、（ｂ）は（ａ）に示したＡ−Ａ’断面図である。
【図２】図１に示した宛先情報記載片の構成を示す図であり、（ａ）は表面の構成を示す図、（ｂ）は裏面の構成を示す図である。
【図３】図１に示した隠蔽情報記載片の構成を示す図であり、（ａ）は宛先情報記載片との貼着面の構成を示す図、（ｂ）はその裏面の構成を示す図である。
【図４】図１〜図３に示した隠蔽シートの製造方法を説明するための図である。
【図５】図１〜図３に示した隠蔽シートの送付時の状態を示す図であり、（ａ）は宛先情報記載片の第１紙片部側から見た図、（ｂ）は宛先情報記載片の第２紙片部側から見た図、（ｃ）は（ａ）に示したＡ−Ａ’断面図である。
【図６】図１〜図３に示した隠蔽シートが見開かれた場合の見開き面を示す図である。
【図７】本発明の隠蔽シートの第２の実施の形態を示す図であり、（ａ）は積層構造を示す図、（ｂ）は（ａ）に示したＡ−Ａ’断面図である。
【図８】図７に示した宛先情報記載片の構成を示す図であり、（ａ）は表面の構成を示す図、（ｂ）は裏面の構成を示す図である。
【図９】図７に示した隠蔽情報記載片の構成を示す図であり、（ａ）は宛先情報記載片との貼着面の構成を示す図、（ｂ）はその裏面の構成を示す図である。
【図１０】本発明の隠蔽シートの第３の実施の形態を示す図であり、（ａ）は積層構造を示す図、（ｂ）は（ａ）に示したＡ−Ａ’断面図である。
【図１１】図１０に示した宛先情報記載片の構成を示す図であり、（ａ）は表面の構成を示す図、（ｂ）は裏面の構成を示す図である。
【図１２】図１０に示した情報通知片の構成を示す図であり、（ａ）は宛先情報記載片との貼着面の構成を示す図、（ｂ）はその裏面の構成を示す図である。
【図１３】図１０〜図１２に示した隠蔽シートの送付時の状態を示す図であり、（ａ）は宛先情報記載片の第１紙片部２１１ａ側から見た図、（ｂ）は宛先情報記載片の第２紙片部２１１ｂ側から見た図、（ｃ）は（ａ）に示したＡ−Ａ’断面図である。
【図１４】図１０〜図１２に示した隠蔽シートが見開かれた場合の見開き面を示す図であり、（ａ）は宛先情報記載片を示す図、（ｂ）は情報通知片を示す図である。
【図１５】本発明の隠蔽シートの第４の実施の形態を示す図であり、（ａ）は積層構造を示す図、（ｂ）は（ａ）に示したＡ−Ａ’断面図である。
【図１６】図１５に示した宛先情報記載片の構成を示す図であり、（ａ）は表面の構成を示す図、（ｂ）は裏面の構成を示す図である。
【図１７】図１５に示した情報通知片の構成を示す図であり、（ａ）は宛先情報記載片との貼着面の構成を示す図、（ｂ）はその裏面の構成を示す図である。
【図１８】図１５〜図１７に示した隠蔽シートの送付時の状態を示す図であり、（ａ）は宛先情報記載片の第１紙片部側から見た図、（ｂ）は情報通知片の第３紙片部側から見た図、（ｃ）は（ａ）に示したＡ−Ａ’断面図である。
【図１９】図１５〜図１７に示した隠蔽シートが見開かれた場合の見開き面を示す図であり、（ａ）は宛先情報記載片を示す図、（ｂ）は情報通知片を示す図である。
【符号の説明】
【００７８】
１０，１１０，２１０，３１０    宛先情報記載片
１１ａ，２１ａ，１１１ａ，１２１ａ，２１１ａ，２２１ａ，３１１ａ，３２１ａ    第１紙片部
１１ｂ，２１ｂ，１１１ｂ，１２１ｂ，２１１ｂ，２２１ｂ，３１１ｂ，３２１ｂ    第２紙片部
１２，２２，１１２，１２２，２１２ａ，２１２ｂ，２２２ａ，２２２ｂ，３１２ａ，３１２ｂ，３２２ａ，３２２ｂ    折り部
１３，１１３，２１３，３１３    宛先情報
１３ａ，２３ａ，１１３ａ，１２３ａ，２１３ａ，２１６ａ，２２３ａ，３１３ａ，３１６ａ，３２３ａ    個別印刷層
１４，１１４，２１４，３２５    通知情報
１４ａ，２４ａ，１１４ａ，１２４ａ，２１４ａ，２１５ａ，２２４ａ，３１５ａ，３２４ａ，３２５ａ    プレ印刷層
２０，１２０    隠蔽情報記載片
２３，１２３，２１６，２２３，３１６，３２３    明細情報
２４，１２４，２１５，２２４，３１５，３２４    共通印刷情報
３０，２３０，３３０    隠蔽用印刷層
４１，１４１，２４１ａ，２４１ｂ，３４１ａ，３４１ｂ    感圧糊
４２，１４２，２４２，３４２    粘着剤
２１１ｃ，２２１ｃ，３１１ｃ，３２１ｃ    第３紙片部
２２０，３２０    情報通知片
【図１】
2007296836.tif 000003
【図２】
2007296836.tif 000004
【図３】
2007296836.tif 000005
【図４】
2007296836.tif 000006
【図５】
2007296836.tif 000007
【図６】
2007296836.tif 000008
【図７】
2007296836.tif 000009
【図８】
2007296836.tif 000010
【図９】
2007296836.tif 000011
【図１０】
2007296836.tif 000012
【図１１】
2007296836.tif 000013
【図１２】
2007296836.tif 000014
【図１３】
2007296836.tif 000015
【図１４】
2007296836.tif 000016
【図１５】
2007296836.tif 000017
【図１６】
2007296836.tif 000018
【図１７】
2007296836.tif 000019
【図１８】
2007296836.tif 000020
【図１９】
2007296836.tif 000021